(57)【特許請求の範囲】
【請求項１】
光軸が交差している発光素子及び受光素子を利用して煙の存在を検知する光電式煙感知器において、
上記発光素子及び受光素子を収容した筐体と、
当該筐体の一方及び他方にそれぞれ設けられ、空気流を上記筐体内に引き込む出入り口と、
当該各出入り口に連続してそれぞれ設けられ、外乱光が内部空間に進入することを阻止すると共に上記発光素子及び受光素子による検出領域を貫通した状態で一方又は他方の出入り口から他方又は一方の出入り口へ延びる煙の動線を形成する整流遮光手段とを有し、
上記出入り口と上記整流遮光手段との間に、当該出入り口から取り込んだ空気を一旦貯めて当該整流遮光手段へ送る空気室を備えたことを特徴とする光電式煙感知器。
【請求項２】
上記各整流遮光手段が、上記検出領域を挟んで互いに向き合うように配設されたことを特徴とする請求項１に記載の光電式煙感知器。
【請求項３】
上記筐体が筒状に形成され、上記発光素子及び受光素子が上記筒状の筐体の中心軸方向に沿って配設されたことを特徴とする請求項１又は２に記載の光電式煙感知器。
【請求項４】
上記整流遮光手段が、上記検出領域に臨ませて設けられた流入出口と、当該流入出口に設けられ、外乱光が内部空間に進入することを阻止すると共に当該流入出口から流入した外気を上記検出領域に案内するラビリンスとを備えたことを特徴とする請求項１に記載の光電式煙感知器。
【請求項５】
上記空気室が、上記出入り口から流入した空気を上記流入出口へ案内する流入ガイドを備えたことを特徴とする請求項４に記載の光電式煙感知器。
【請求項６】
上記筐体の一方及び他方に設けられた２つの出入り口が、互いに直交する方向に開口したことを特徴とする請求項１乃至５のいずれか１項に記載の光電式煙感知器。
【発明の詳細な説明】
【技術分野】
【０００１】
本発明は、発光素子及び受光素子を利用する光電式煙感知器に関するものである。
【背景技術】
【０００２】
光電式煙感知器は、室内空間の火災発生に伴う煙を検知することが中心であったが、今日では、半導体製造装置、工作機械、配電盤、工業用制御器などの機器内に設置し、機器の異常を迅速に発見する一手段としても用いられるようになってきた。
【０００３】
このように設置対象は異なるが、機器内用の煙感知器も、室内空間用の煙感知器と同様な構成を有し、その構成を維持したまま小型化を図ったものが多い。
【０００４】
図４は、従来の一般的な光電式煙感知器の構成を示すものである（例えば、特許文献１参照）。
【０００５】
従来の光電式煙感知器１は、例えば、図４（Ａ）に示すように、煙の進行方向を問題としないように、煙の導入口や導出口となる出入り口を周方向に複数有するチャンバー部２を下にして天井などに設けられるものである。チャンバー部２の内部は、図４（Ｂ）に示すように、光軸が１２０度程度で交差するように発光素子３及び受光素子４が配置され、光軸の交差点近傍の検出領域ＡＲに煙が入り込み、発光素子３からの射出光が、煙によって散乱し、受光素子４に到達することで煙の存在を検知する。煙の非存在時の誤検出を防止すべく、外乱光を排除し、かつ、発光素子３からの射出光が反射しても受光素子４の方向に向かうことを阻止し、さらに、検出領域への煙の進入を妨げないように、多数のラビリンス５が周方向に配置されている。なお、多数のラビリンス５の周囲には、虫の内部空間への進入を防止するための防虫網６が設けられている。
【０００６】
また、特許文献２に記載されているような、下面に設けられた唯一の開口から光学室に煙を導入し、光学室の左右の側面に設けられた発光素子及び受光素子の機能で、煙の存在を検知する光電式煙感知器も、従来、存在している。
【先行技術文献】
【特許文献】
【０００７】
【特許文献１】特開平８−１６６３４７号公報
【特許文献２】特開平４−１６０６９８号公報
【発明の概要】
【発明が解決しようとする課題】
【０００８】
従来の図４に示す煙検知器の構成では、発光素子３、受光素子４、ラビリンス５が周方向に配置されている検出方式の特性上、検出領域ＡＲを含めたある程度の空間が必要であり、言い換えると、従来の構成を維持したまま、単純にチャンバー部２の直径を小さくするだけで小型化を実現することは困難である。
【０００９】
そして、煙検知器が大型であるため、設置場所も限られてしまい、火災の発生しやすい場所や、火災発生の際に煙が通りやすい場所等に設置することが容易でなかった。
【００１０】
また、特許文献２に記載のような従来の煙感知器では、光学室の開口が１個であるため、煙が流れ込みにくく、この面で検知が遅くなる可能性がある。
【００１１】
本発明は、以上の点を考慮してなされたものであり、感知能力を低下させることなく小型化に適した光電式煙感知器を提供しようとしたものである。
【課題を解決するための手段】
【００１２】
かかる課題を解決するために、本発明は、光軸が交差している発光素子及び受光素子を利用して煙の存在を検知する光電式煙感知器において、上記発光素子及び受光素子を収容した筐体と、当該筐体の一方及び他方にそれぞれ設けられ、空気流を上記筐体内に引き込む出入り口と、当該各出入り口に連続してそれぞれ設けられ、外乱光が内部空間に進入することを阻止すると共に上記発光素子及び受光素子による検出領域を貫通した状態で一方又は他方の出入り口から他方又は一方の出入り口へ延びる煙の動線を形成する整流遮光手段とを有し、上記出入り口と上記整流遮光手段との間に、当該出入り口から取り込んだ空気を一旦貯めて当該整流遮光手段へ送る空気室を備えたことを特徴とする。
【００１３】
これにより、上記各出入り口のいずれか一方から流入した煙は、整流遮光手段を介して筐体内に流入する。このとき、整流遮光手段は、外乱光が内部空間に進入することを阻止すると共に煙を上記検出領域に案内する。
【発明の効果】
【００１４】
本発明によれば、筐体内に上記発光素子及び受光素子を収容して上記出入り口を設けると共に、当該各出入り口に上記整流遮光手段を設けて、外乱光が内部空間に進入することを阻止しながら、煙を上記検出領域に案内するため、感知能力を低下させることなくより一層の小型化を図ることができる。
【図面の簡単な説明】
【００１５】
【図１】本発明の第１実施形態の光電式煙感知器を示す斜視図である。
【図２】本発明の第１実施形態の光電式煙感知器の縦断面図である。
【図３】本発明の第１実施形態の山形ラビリンスを示す斜視図である。
【図４】従来の光電式煙感知器を示す説明図である。
【図５】本発明の第３実施形態の光電式煙感知器の縦断面図である。
【図６】本発明の第３実施形態の光電式煙感知器の斜視図である。
【図７】本発明の第１変形例の光電式煙感知器の縦断面図である。
【図８】本発明の第２変形例の光電式煙感知器の縦断面図である。
【図９】本発明の第３変形例の光電式煙感知器の斜視図である。
【発明を実施するための形態】
【００１６】
以下に、本発明の実施形態について説明する。本発明の光電式煙感知器は、一般家庭や公共施設等の人が集まる場所、工場の半導体製造装置、工作機械、配電盤、工業用制御器などの機器、その他、これまで設置が難しかった場所に設置する煙検知器に適用し得るものである。
【００１７】
（Ａ）第１実施形態
以下、本発明による光電式煙感知器の一実施形態を、図面を参照しながら詳述する。図１は、実施形態の光電式煙感知器を示す斜視図であり、図２は、実施形態の光電式煙感知器の縦断面図である（断面を表すハッチ線は省略している）。
【００１８】
なお、実施形態の煙感知器の取付方向は、図１に示す方向に限定されるものではないが、以下の説明においては、図１の状態を基準にして、上下左右を表現している。
【００１９】
実施形態の煙感知器１０は、外観上は、円筒部１１と、円筒部１１から上方に延びている平箱部１２とでなる。
【００２０】
円筒部１１は、主として、外乱光や虫などの当該煙感知器１０の内部への進入を阻止しながら、煙を当該煙感知器１０の内部に導入させる機能を担っている。
【００２１】
円筒部１１の下面開口は、図３に示すような山形形状を有する山形ラビリンス２０が設けられている。山形ラビリンス２０は、図３に示すように、中央部２１が山形に盛り上がっていると共に、周縁部近傍で、複数（図示のものは６個）の円弧状の開口２２が周方向に等間隔で設けられているものである。山形ラビリンス２０の開口２２は、煙の導入口として機能する。山形中央部２１は、山形ラビリンス２０の開口２２や、後述する円筒部１１の側面小孔１３から導入した煙を上方に案内する機能と、外乱光の進入も阻止する機能とを担っている。
【００２２】
円筒部１１の側面（外周面）の下方の位置には、複数（図示のものは５個）の小孔１３が周方向に等間隔で設けられている。小孔１３の面積は、側方からの煙の導入を許容すると共に、当該小孔１３からの外乱光の進入を最小限に抑える程度に選定されている。
【００２３】
平箱部１２は、おおむね直方体形状をしていて、その内部構成により、主として、煙の検知機能を担っている。平箱部１２の横幅は円筒部１１の外径と同じになっており、円筒部１１の中心軸と自己の中心軸とが一致するように、平箱部１２は、円筒部１１から上方に延びている。
【００２４】
平箱部１２の右側面であって、上面に近い位置には、平箱部１２の側面小孔１４が設けられている。この側面小孔１４は、当該煙感知器１０の内部から外部へ煙を導出する際の開口として機能するものである。すなわち、山形ラビリンス２０の開口２２や円筒部１１の側面小孔１３から当該煙感知器１０の内部に導入した煙を、平箱部１２の側面小孔１４から導出させるものである。以上は、発明者が意図した煙の流れであるが、実際上では、逆の経路で煙が流れることがあるかも知れない。
【００２５】
実施形態の煙感知器１０の内部（正確に言えば、平箱部１２の内部）には、図２に示すように、発光素子３０及び受光素子４０が設けられている。
【００２６】
発光素子３０は、発光素子収容部３１によって、平箱部１２の内部空間の左上方の位置に設けられている。発光素子収容部３１は、発光素子３０からの出射光を前方へのみ射出させるように、発光素子３０をほぼ隙間なく収容している。発光素子収容部３１の前方には、光学的窓部３２が設けられている。光学的窓部３２は、絞り機能を担う単なる開口であっても良い。さらに、防塵機能を果たすようにガラスであっても良い。
【００２７】
受光素子４０は、受光素子収容部４１によって、平箱部１２の内部空間の左下方の位置に設けられている。受光素子収容部４１は、円筒状の内部空間を有し、その底部に受光素子４０を収容し、その上部に対物レンズ４２を取り付けている。
【００２８】
発光素子３０の光軸と受光素子４０の光軸とは、ほぼ１２０度程度の角度で交差するようになされており、その交差点近傍が煙の検出領域ＡＲとなっている。すなわち、この検出領域に煙が存在すると、発光素子３０からの射出光が煙で散乱し、その散乱光が受光素子４０に到達して煙の存在を検知し得るようになる。
【００２９】
検出領域ＡＲの左隣の位置に、発光素子３０からの射出光が散乱することなく受光素子４０に到達することを防止する直接光防止ラビリンス５０が設けられている。
【００３０】
当該煙感知器１０の内部空間における、円筒部１１と平箱部１２との境界には、下方防虫網６０が設けられている。この下方防虫網６０は、円筒部１１側に設けられている場合であれば円形であり、平箱部１２側に設けられていれば長方形を有するものとなる。下方防虫網６０は、山形ラビリンス２０の開口２２や円筒部１１の側面小孔１３から侵入した虫がさらに内部に侵入することを阻止するためのものである。
【００３１】
山形ラビリンス２０及び防虫網６０間の距離は、言い換えると、円筒部１１の高さは、山形ラビリンス２０による煙の上方への案内機能が十分に発揮できる距離に選定されている。
【００３２】
下方防虫網６０の近傍上方であって、受光素子収容部４１の右方には、上下方向に並設された２個のラビリンス片５１、５２が設けられている。なお、右方にある下方防虫網６０の押さえ片もラビリンス片５３として機能する。ラビリンス片５１は、右上がりのものであり、下側からの空気流をその下面で右上方向に案内するものである。また、ラビリンス片５１の上方向の端部は左上に曲がっており、上面に沿って上昇してきた空気流を検出領域に向かうようにさせる機能を発揮している。ラビリンス片５２は、ラビリンス片５１に対して、左上の位置に、左上がりに設けられている。ラビリンス片５２は、下方防虫網６０の中央部からの直接の空気流や、受光素子収容部４１の下方傾斜面４１ａの傾斜に沿ってきた空気流などを左上方向に案内するものであり、その方向には、受光素子収容部４１の上方傾斜面４１ｂがある。受光素子収容部４１の上方傾斜面４１ｂに向かった空気流は、その傾斜面４１ｂにより検出領域ＡＲの方向に向かうことになる。
【００３３】
平箱部１２の側面小孔１４の内側には、上方防虫網６１が設けられている。上方防虫網６１は、側面小孔１４からの虫の侵入を阻止するものである。
【００３４】
平箱部１２の側面小孔１４の下端位置からは、おおむね左方に延びるラビリンス片５４が設けられている。このラビリンス５４は、その中間位置位から左上方向に向かうように折り曲げられている。検出領域ＡＲを通過し、さらに上昇しようとする空気流は、発光素子収容部３１の上部傾斜面３１ａとラビリンス片５４の下面傾斜面とによって絞り込まれて内部空間の上面に到達し、その後の空気流の圧力により、側面小孔１４に向かい、側面小孔１４から導出されるようになされている。
【００３５】
山形ラビリンス２０の存在により、下方からの外乱光の進入はかなり押さえられ、さらに、金属製の下方防虫網６０によっても下方からの外乱光の進入は押さえられ、また、受光素子収容部４１の下方傾斜面４１ａや、ラビリンス片５１〜５３により、さらにその進入が阻止される。仮に、受光素子収容部４１の下方傾斜面４１ａや、ラビリンス片５１〜５３の所を外乱光が通過したとしても、その進行方向はおおむね上方であり、一方、受光素子４０は受光素子収容部４１内にしかも下方に設けられているので、そのような外乱光は受光素子４０には到達しない。
【００３６】
平箱部１２の側面小孔１４は面積が小さいので、ここからの外乱光の進入を制限し、この側面小孔１４を内側から被蓋する上方防虫網６０も、外乱光の進入を制限する。ラビリンス片５４は、十分な長さを有し、しかも、中央部から左上に傾斜しているので、進入外乱光を上方に向かうようにさせ、受光素子４０側へ向かうものをほぼ無くすことができる。仮に、反射などによって、ラビリンス片５４の先端より先に外乱光が進んだとしても、発光素子収容部３１の上部傾斜面３１ａによってその進行方向は受光素子４０には向かわない方向とされる。
【００３７】
上記実施形態の光電式煙感知器によれば、ラビリンスの数を少ない、平箱部を検知の中心構成としているので、小型化を実現することができる。電気的処理構成も、平箱部の一面に設けることができ、小型化を阻害するものとはならない。円筒部１１が主としてラビリンス機能を発揮するため、平箱部１２でのラビリンス数を押さえることができるようになっている。
【００３８】
すなわち、この実施形態は、発光素子や受光素子や検出領域が存在しない、ラビリンス機能の専用部分（円筒部１１）を設けていることが、１個の特徴となっている。
【００３９】
また、空気流の導入口及び導出口の双方を有するので、空気流が当該煙感知器の内部を通過し、導入口及び導出口を兼ねた開口だけの場合に比較し、検知精度を高くすることができる。平箱部内での空気流の流れは、ほぼ一定であるが、円筒部１１の存在、特に、山形ラビリンス２０の存在により、当該煙感知器１０の周囲での空気流の方向がいかなる方向でも、その空気流を内部に導入することができ、検知精度を高くすることができる。
【００４０】
さらに、ラビリンス数が少ない単純な構成を有しているので、製造が容易であるだけでなく、低コストが期待できる。
【００４１】
この実施形態の煙感知器は、機器内用の煙感知器としても室内空間用の煙感知器としても適用可能であり、その用途が制限されるものではない。
【００４２】
（Ｂ）第２実施形態
上記実施形態においては、空気流（煙）の導出孔（側面小孔１４）を右側面上方に設けたものを示したが、他の面（上面や他の側面や正面や背面）に、空気流（煙）の導出孔をも受けるようにしても良く、その数も１個に限定されるものではない。
【００４３】
また、上記構成の円筒部１１の構成が、ラビリンス機能の専用部分となっているものを示したが、その構成は、他の構成であっても良い。例えば、図４（Ｂ）に示すような構成から、発光素子及び受光素子を除外し、直径を小さくしたものをラビリンス機能の専用部分として適用するようにしても良い。また、ラビリンス機能の専用部分も、平箱形状で構成し、上記実施形態の平箱部１１と一体化させるようにしても良い。
【００４４】
平箱部１２内のラビリンス数や、発光素子３０及び受光素子４０の位置関係は、上記実施形態のものに限定されないことは勿論である。例えば、発光素子３０が下方、受光素子４０が上方に設けられたものであっても良い。
【００４５】
また、本発明の光電式煙感知器は、ラビリンス機能の専用発揮部を下方に設けて使用することを意図しており、特許請求の範囲も、このような設置を前提として上下方向を表現しているが、他の方向に向くように設置されて使用されても良いことは勿論である。
【００４６】
（Ｃ）第３実施形態
次に本発明の第３実施形態について図５及び図６を参照しながら説明する。本実施形態は、筐体部分を改良して、光電式煙感知器１００のより一層の小型化を図ったものである。
【００４７】
本実施形態の光電式煙感知器１００は、図示するように主に、発光素子３０及び受光素子４０等と、筐体１０１とから構成されている。発光素子３０及び受光素子４０等は上記第１実施形態の光電式煙感知器と同様である。
【００４８】
筐体１０１は全体を円筒状に形成されている。この筐体１０１は非常に小型のもので、発光素子３０、発光素子収容部３１、受光素子４０、受光素子収容部４１及びその回路基盤(図示せず)を含めた寸法よりも僅かに大きい寸法に設定されている。
【００４９】
筐体１０１の一側端部（図５中の上端部）には一側端壁１０２が設けられている。この一側端壁１０２は、後述する一側空気室１０６を仕切ると共に、光電式煙感知器１００全体を支持する基板となっている。この一側端壁１０２の外側面には、光電式煙感知器１００全体を固定するための端壁固定具(図示せず)が設けられる。この端壁固定具は、光電式煙感知器１００を室内の天井板や壁等に固定するための固定具である。また、一側端壁１０２の外周面（円筒状の筐体１０１の外周面）には、光電式煙感知器１００全体を固定するための周縁固定具(図示せず)が設けられる。この周縁固定具は、光電式煙感知器１００を壁面に沿った状態で固定するための固定手段である。これにより、光電式煙感知器１００は、設置場所の状況に応じて、壁面に沿って固定したり、壁面に垂直に固定したりする。さらに、端壁固定具や周縁固定具は、光電式煙感知器１００を、縦、横、斜め等の任意の角度に調整して固定するように構成してもよい。この端壁固定具及び周縁固定具としては、当業者が一般に用いることができる構造の固定具全てを用いることができる。
【００５０】
筐体１０１の内部は、収納室１０５と一側空気室１０６と他側空気室１０７から構成されている。
【００５１】
収納室１０５は、検出領域ＡＲを含む発光素子３０、発光素子収容部３１、受光素子４０、受光素子収容部４１及びその回路基盤等を収納するための空間である。収納室１０５は、この発光素子３０等の全体の寸法とほぼ同じ寸法に設定されている。さらに、この収納室１０５は煙の通路を構成している。外部から一側空気室１０６又は他側空気室１０７に流入した煙は収納室１０５を通過して他側空気室１０７又は一側空気室１０６に流入する。そして、このとき、収納室１０５内では、煙の動線が、後述する整流遮光手段１１５、１１６によって検出領域ＡＲを貫通するように設定されている。
【００５２】
また、発光素子３０及び受光素子４０は、収納室１０５内において、筒状の筐体１０１の中心軸方向に沿って（長手方向に）配設されている。この方向にすることで、筒状の筐体１０１の直径が大きくならないようにしている。
【００５３】
一側空気室１０６は、後述する出入り口１１１から取り込んだ外部の空気を一旦貯めて後述する一側整流遮光手段１１５へ送るための空間である。一側空気室１０６は、出入り口１１１と一側整流遮光手段１１５との間に設けられている。具体的には、収納室１０５の一側（図５中の上側）に隣接した位置に設けられている。一側空気室１０６は、収納室１０５の一側端を仕切る収納室側一側端壁１０８と、筐体１０１の一側端壁１０２とで仕切られて構成されている。この一側空気室１０６と収納室１０５とは、後述する一側整流遮光手段１１５を介して互いに連通されている。
【００５４】
他側空気室１０７は、後述する出入り口１１２から取り込んだ外部の空気を一旦貯めて後述する他側整流遮光手段１１６へ送るための空間である。他側空気室１０７は、収納室１０５の他側（図５中の下側）に位置して、出入り口１１２と他側整流遮光手段１１６との間に設けられている。この他側空気室１０７と収納室１０５とは、後述する他側整流遮光手段１１６を介して互いに連通されている。他側空気室１０７の外側面（下側面）は山形ラビリンス２０となっている。この山形ラビリンス２０は第１実施形態と同様である。
【００５５】
円筒状の筐体１０１の一方及び他方の端部には出入り口１１１、１１２がそれぞれ設けられている。この出入り口１１１、１１２は、外部からの空気流を筐体１０１内に引き込むための開口である。具体的には、各出入り口１１１、１１２は、一側空気室１０６及び他側空気室１０７にそれぞれ臨ませて設けられている。一側出入り口１１１は、一側空気室１０６の外周縁部にその全周に亘って設けられた多数の穴によって構成されている。この一側出入り口１１１により、一側空気室１０６内にその周囲から外部の空気が流入するようになっている。他側出入り口１１２は、他側空気室１０７の下側面部にその全周に亘って設けられた多数の穴によって構成されている。この他側出入り口１１２により、他側空気室１０７内にその下側面から外部の空気が流入するようになっている。これにより、一側出入り口１１１と他側出入り口１１２とは、互いに直交する方向に開口して設けられている。これは、光電式煙感知器１００にいずれの方向から煙が流れてきても、いずれかの出入り口１１１、１１２に流入するようにするためである。
【００５６】
一側空気室１０６と収納室１０５との間には一側整流遮光手段１１５が設けられている。この一側整流遮光手段１１５は、外乱光が内部空間（収納室１０５）に進入することを阻止すると共に、他側整流遮光手段１１６と相まって上記検出領域ＡＲを貫通した煙の動線を形成するための手段である。この煙の動線は、一側出入り口１１１から一側空気室１０６を介して収納室１０５に流入し、上記検出領域ＡＲを貫通して、他側空気室１０７を介して他側出入り口１１２へ延びるように形成される。一側整流遮光手段１１５は、具体的には、一側空気室１０６の中央部に設けられた流入出口１１７と、発光素子収容部３１の上部傾斜面３１ａとによって構成されている。この上部傾斜面３１ａは、一側空気室１０６に一旦貯められた後に、流入出口１１７で絞られて収納室１０５内に流入する空気（煙）を整流して、検出領域ＡＲに案内するようになっている。さらに、流入出口１１７が一側空気室１０６の中央部に位置することで、一側出入り口１１１から侵入する光を一側空気室１０６内に反射させて収納室１０５内まで侵入しないように遮光している。流入出口１１７には防虫網１１８が設けられている。
【００５７】
他側整流遮光手段１１６は、一側整流遮光手段１１５と同様に、外乱光が内部空間（収納室１０５）に進入することを阻止すると共に、一側整流遮光手段１１５と相まって上記検出領域ＡＲを貫通した煙の動線を形成するための手段である。他側整流遮光手段１１６は、一側整流遮光手段１１５に対して、検出領域ＡＲを挟んで互いに向き合う位置に設けられている。さらに他側整流遮光手段１１６は、収納室１０５内に流入する煙を、その動線が上記検出領域ＡＲを貫通して通るように、遮光しながら整流するように設定されている。この煙の動線は、上記の場合と逆に、他側出入り口１１２から他側空気室１０７を介して収納室１０５に流入し、上記検出領域ＡＲを貫通して、一側空気室１０６を介して一側出入り口１１１へ延びるように形成される。他側整流遮光手段１１６は、具体的には、流入出口１０９に設けられたラビリンス５１〜５３と、下方傾斜面４１ａと上方傾斜面４１ｂとから構成されている。さらに、ラビリンス５１〜５３は、他側出入り口１１２から侵入する光を遮光して検出領域ＡＲに侵入しないようにしている。収納室１０５と他側空気室１０７との間には防虫網６０が設けられている。
【００５８】
以上のように構成された光電式煙感知器１００は、次のように動作する。
【００５９】
まず、光電式煙感知器１００は、一側端壁１０２の端壁固定具や周縁固定具を介して天井板や部屋の壁等に取り付けられる。光電式煙感知器１００は、小型であるため、特に取り付ける場所を選ばず、通行や作業等の邪魔にならない位置に取り付ける。火災が発生した場合に、煙の通路になる位置に取り付けることが望ましい。
【００６０】
次いで、煙が発生して光電式煙感知器１００へ流れてくると、まず煙は、一側出入り口１１１又は他側出入り口１１２から光電式煙感知器１００内へ侵入する。
【００６１】
一側出入り口１１１から侵入した煙は、一側空気室１０６に貯まり、流入出口１１７で絞られて収納室１０５に流入する。収納室１０５に流入した煙は、上部傾斜面３１ａで案内されて、検出領域ＡＲを通り、他側整流遮光手段１１６から他側空気室１０７に流入して、他側出入り口１１２から外部に流出する。
【００６２】
そして、検出領域ＡＲを通過する煙を発光素子３０及び受光素子４０で検出して、警報機等を作動させる。
【００６３】
他側出入り口１１２から侵入した煙は、他側空気室１０７に貯まり、他側整流遮光手段１１６に案内されて、検出領域ＡＲを通り、一側整流遮光手段１１５から一側空気室１０６に流入して、一側出入り口１１１から外部に流出する。
【００６４】
そして、検出領域ＡＲを通過する煙を発光素子３０及び受光素子４０で検出して、警報機等を作動させる。
【００６５】
これにより、上記第１実施形態と同様の効果を奏すると共に、次のような効果も奏する。
【００６６】
検出領域ＡＲを挟んで互いに向き合うように配設された一側整流遮光手段１１５及び他側整流遮光手段１１６によって、煙の動線が検出領域ＡＲを貫通するように設定されているため、収納室１０５内に流入した煙を検出領域ＡＲに効率的に導くことができ、検知精度を向上させることができる。
【００６７】
上記一側整流遮光手段１１５及び他側整流遮光手段１１６を、上記検出領域ＡＲを挟んで互いに向き合うように配設したので、煙の動線が確実に検出領域ＡＲを貫通するように設定することができる。さらに、筐体１０１をその内部に空気が流れやすいように筒状にしているため、この筒状の筐体１０１と、筒の両端部に設けた一側整流遮光手段１１５及び他側整流遮光手段１１６とで、煙の動線を確実に形成できると共に、煙の動線が確実に検出領域ＡＲを貫通するように設定することができる。
【００６８】
上記筐体１０１を筒状に形成すると共に、上記発光素子３０及び受光素子４０を筒状の筐体１０１の中心軸方向に沿って配設したので、筐体１０１を小型化することができる。さらに、この筒状の筐体１０１内に全ての部品を収納するように構成したので、光電式煙感知器１００をより一層小型化することができる。即ち、円筒状の筐体１０１内に発光素子３０を筐体１０１の中心軸方向に沿って収納すると共に、筐体１０１内に、一側整流遮光手段１１５と他側整流遮光手段１１６を、検出領域ＡＲを挟んで対向する位置に設けることで、煙の動線が上記検出領域ＡＲを貫通して通るようにして、煙の出入り口及び動線を確定しラビリンス及び防虫網を小さくしたので、光電式煙感知器１００をさらに小型化することができる。
【００６９】
この結果、光電式煙感知器１００を様々な場所に設けることができるようになる。特に、火災発生の原因になりやすい場所の近くに設ける等の、これまで嵩張るために取り付けられなかった場所でも容易に取り付けることができるようになる。これにより、火災の早期発見が可能になる。
【００７０】
上記出入り口１１１、１１２を大きく形成すると共に、これら出入り口１１１、１１２と整流遮光手段１１５、１１６との間に、出入り口１１１、１１２から取り込んだ空気を一旦貯めて整流遮光手段１１５、１１６へ送る空気室１０６、１０７を備えたので、煙を含む外気を、出入り口１１１、１１２から空気室１０６、１０７内に容易に流入させることができ、空気室１０６、１０７内に一旦貯めて、効率的に整流遮光手段１１５、１１６へ送ることができる。
【００７１】
また、一側出入り口１１１と他側出入り口１１２とを、互いに直交する方向に開口して設けたため、光電式煙感知器１００にいずれの方向から煙が流れてきても、いずれかの出入り口１１１、１１２から内部に流入し、検知精度を向上させることができる。
【００７２】
［変形例］
上記実施形態では、他側出入り口１１２を筐体１０１の下側面に設けたが、図７に示すように、下側面に加えて、外周縁部にも設けるようにしてもよい。これにより、煙がいずれの方向から流れてきても、他側空気室１０７内に流入させることができる。この結果、煙の感知精度を向上させることができる。
【００７３】
上記実施形態では、筐体１０１を円筒状に形成したが、四角筒、六角筒等の多角筒状、樽型等の、筒状に形成してもよい。検出領域ＡＲを貫通する動線を形成しやすい筒状形状の全てを適宜用いることができる。この場合も、上記実施形態同様の作用、効果を奏することができる。
【００７４】
上記実施形態では、一側空気室１０６及び他側空気室１０７を、外気を一旦貯めるための空間として構成したが、図８に示すように、一側空気室１０６及び他側空気室１０７に流入ガイド１２１、１２２を設けてもよい。流入ガイド１２１は、裁頭円錐状（断面形状が台形状）に形成され、周囲の出入り口１２３から流入した空気を、円錐面で流入出口１１７へ案内するようになっている。流入ガイド１２２は、円錐状に形成され、周囲の出入り口１２４から流入した空気を、円錐面で流入出口１０９へ案内するようになっている。
【００７５】
ここで、一側空気室１０６に流入ガイド１２１は、断面形状が台形状になるように構成したが、この流入ガイド１２１に形状は、一側空気室１０６の寸法や流入出口１１７の大きさ等の諸条件に応じて設定される。なお、出入り口１２３は、第１実施形態の出入り口１１１よりも大きく形成され、外気が一側空気室１０６に流入しやすくなっている。また、発光素子３０等とラビリンス５１〜５３とを一体に設けて小型化を図り、光電式煙感知器１００全体の小型化を図っている。
【００７６】
他側空気室１０７の流入ガイド１２２は、断面形状が湾曲した三角形状に形成され、ほぼ円錐状になっている。この湾曲部分は、他側空気室１０７に流入した外気（煙）が流入出口１０９側へ流れやすくするためである。この流入ガイド１２２に形状は、他側空気室１０７の寸法や流入出口１０９の大きさ等の諸条件に応じて設定される。なお、出入り口１２４は、筐体１０１の外周面に大きく形成されている。これにより、外気が他側空気室１０７に流入しやすくなっている。これにより、上記第３実施形態同様の作用、効果を奏することができる。
【００７７】
また、上記実施形態では、収納室１０５は外気から遮断されて外部の光が内部に侵入しないように構成されたが、図９に示すように、感度調整部１２６を設けてもよい。この感度調整部１２６は、筐体１０１に設けられた穴によって構成されている。この穴の大きさ、位置等を適宜設定して、発光素子３０及び受光素子４０の感度を調整する。
【符号の説明】
【００７８】
１０…光電式煙感知器、１１…円筒部、１２…平箱部、１４…側面小孔、２０…山形ラビリンス、３０…発光素子、３１ａ：上部傾斜面、４０…受光素子、４１ａ：下方傾斜面、４１ｂ：上方傾斜面、５１〜５３：ラビリンス、１００：光電式煙感知器、１０１：筐体、１０２：一側端壁、１０５：収納室、１０６：一側空気室、１０７：他側空気室、１０８：収納室側一側端壁、１１１、１１２：出入り口、１１５、１１６：整流遮光手段、１１７：流入出口、１１８：防虫網。
【図１】
0005351232.tif 000002
【図２】
0005351232.tif 000003
【図３】
0005351232.tif 000004
【図４】
0005351232.tif 000005
【図５】
0005351232.tif 000006
【図６】
0005351232.tif 000007
【図７】
0005351232.tif 000008
【図８】
0005351232.tif 000009
【図９】
0005351232.tif 000010